(57)【要約】【課題】  鋼製構造物に、その弱点である座屈を防止し、あるいは遅延させる補強を施すことにより、鋼製構造物の靭性を著しく向上させ、鋼製橋脚や柱・梁等の耐震性の強化と耐荷力の増強を図ることができるようにした。【解決手段】  所要間隔を隔てて植設固着させた多数のねじ付きスタッドジベル３を片面２ｂに備えた補強用鋼板２が、該補強用鋼板２の片面２ｂと鋼製構造物Ｃを構成する既設鋼板１の外面側１ａとの間に介在させた接着剤ａの接着力と、既設鋼板１に穿設形成したスタッド穴ｈを通じて既設鋼板１の内面側１ｂに突出させた各スタッドジベル３のねじ部３ａに螺嵌させたナット４の緊締力とで、既設鋼板１の外面側１ａに固着させてある。また、他の手段として、内面補強板１２を用いて、既設鋼板１の内面側１ｂに固着させる。【選択図】  図１
2006328866.tif 000002
【特許請求の範囲】
【請求項１】
所要間隔を隔てて植設固着させた多数のねじ付きスタッドジベル３を片面２ｂに備えた補強用鋼板２が、該補強用鋼板２の片面２ｂと鋼製構造物Ｃを構成する既設鋼板１の外面側１ａとの間に介在させた接着剤ａの接着力と、既設鋼板１に穿設形成したスタッド穴ｈを通じて既設鋼板１の内面側１ｂに突出させた各スタッドジベル３のねじ部３ａに螺嵌させたナット４の緊締力とで、既設鋼板１の外面側１ａに固着させてある鋼製構造物。
【請求項２】
鋼製構造物Ｃを構成する既設鋼板１の内面側１ｂに所要間隔を隔てて植設固着させた多数のねじ付きスタッドジベル３を、鋼板，ＦＲＰ板，炭素繊維板，コンクリート板等からなる内面補強板１２に穿設形成したスタッド穴ｈを通じてその内面側１２ｂに突出させた各スタッドジベル３のねじ部３ａに螺嵌させて締め付けたナット４の緊締力と、既設鋼板１の内面側１ｂと内面補強板１２の対向面１２ａとの間に介在させた接着剤ａの接着力とで、既設鋼板１の内面側１ｂに補強板１２を重層状に固着させてある鋼製構造物。
【請求項３】
鋼製構造物Ｃを構成する既設鋼板１の被補強部分１Ａの外面側１ａを覆う大きさに形成した外面補強用鋼板２の片面２ｂに、所要間隔を隔てて溶接手段、金属接着手段、ねじの立て込み手段等の周知手段によって多数のねじ付きスタッドジベル３を植設固着させてある補強用鋼板２を形成するとともに、前記既設鋼板１の被補強部分１Ａにおける、該スタッドジベル３の植設形成箇所と対応する箇所にスタッド穴ｈを穿設形成し、該補強用鋼板２のスタッドジベル植設面２ｂを既設鋼板１の外面側１ａと対向させて、各スタッドジベル３の先端部を各スタッド穴ｈを通して既設鋼板１の内面側１ｂに突出させ、突出した各スタッドジベル３のねじ部３ａにそれぞれナット４を螺嵌させて締め付け、他方、既設鋼板１の外面側１ａと外面補強用鋼板２のスタッドジベル植設面２ｂとの対向配置前に何れか一方の面１ａ、２ｂか両面に接着剤ａを塗布しておくか、これらの両面１ａ、２ｂを対向配置させた後に両面１ａ、２ｂ間に接着剤ａを注入して、該接着剤ａによる接着力と前記ナット４の緊締力とによって、既設鋼板１の外面側１ａに外面補強用鋼板２を重層状に固着させて補強する鋼製構造物の補強方法。
【請求項４】
鋼製構造物Ｃを構成する既設鋼板１の内面側１ｂに、所要間隔を隔てて溶接手段、金属接着手段、ねじの立て込み手段等の周知手段によって多数のねじ付きスタッドジベル３を植設固着させ、該既設鋼板１の内面側１ｂに形成してある縦リブ材１ｃ，１ｃの間、または縦リブ材１ｃとコーナー面との間に対応する幅に形成した鋼板，ＦＲＰ板，炭素繊維板，コンクリート板等からなる内面補強板１２に、前記各ねじ付きスタッドジベル３の植設形成箇所と対応する箇所にスタッド穴ｈを穿設形成し、該内面補強板１２を既設鋼板１の内面側１ｂに当て付けて各スタッド穴ｈを通じて内面補強板１２の内面側１２ｂに突出させた各スタッドジベル３のねじ部３ａにナット４を螺嵌させて締め付け、前記既設鋼板１の内面側１ｂへの内面補強板１２の当て付け前にこれら何れか一方の面１ｂ、１２ａか両面に接着剤ａを塗布しておくか、これらの両面１ｂ、１２ａを対向配置させた後に両面１ｂ、１２ａ間に接着剤ａを注入して、この接着剤ａによる接着力と前記ナット４の緊締力とによって、既設鋼板１の内面側１ｂに内面補強板１２を重層状に添え付け固着させて補強する鋼製構造物の補強方法。
【発明の詳細な説明】
【技術分野】
【０００１】
本発明は、高速道・鉄道を含む高架道や各種の橋梁等を支える橋脚や橋梁の梁構造体を対象とし、殊に、鋼材製箱形断面の既設橋脚を対象としたものであって、その座屈・変形強度を飛躍的に向上させる補強方法と、この補強方法を用いて強化された鋼製構造物とに関するものである。但し、既設の鋼製構造物のみならず新設の鋼製構造物に対しても実施可能なものである。
【背景技術】
【０００２】
従来からこの種鋼材製の箱形橋脚は、例えば図１０，１１に示したように、４枚の鋼板１を、幅方向の側縁どうしを溶接して角筒形（箱形）に一体化させ、各鋼板１の内面側に内面に向かって突出する複数の縦リブ材５を並列一体化させて補強してある構造とし、内部を空洞状とした橋脚は、主として高架道の橋脚として全国的に実施され、使用されている。
【０００３】
このようにした鋼材製の箱形橋脚は、その強度については、少なくとも建設当時に必要と推定されていた強度を充分に保持するように設計され、製作されている。しかしながら、この鋼製橋脚は大きな圧縮力を受けると座屈するという不安定要素を内在しており、構造物としての機能を失うことがあるので、このような現象の発生を確実に防止しなければならない。
【０００４】
殊に、兵庫県南部地震によってこのことが顕在化し、それ以降、既設の鋼製橋脚に対しては各種の耐震補強がなされている。この耐震補強の主たる方法は次の三つに区分することができる。
１．既設鋼製橋脚の内部にコンクリートを充填する方法。
２．既設鋼製橋脚に炭素繊維を樹脂（接着剤）で貼り付けて複合構造とする方法。
３．既設鋼製橋脚に鋼材製の補強部材を溶接または高力ボルトで取り付ける方法。
【０００５】
また、３．の既設鋼製橋脚に鋼材でできた補強部材を溶接またはボルトによって取り付ける技術としては、前記図１０に示したように、箱形断面とした鋼製橋脚１の四隅の外側に長手方向に沿ってアングル状とした鋼材２を、溶接またはボルトによって固着する技術や、図１１に示したように、鋼製橋脚１の内部に、一方の中心線と平行する側板１ａ間の中間位置に補強鋼材３を垂直に溶接またはボルト締めによって取り付ける技術が、文献上においても既に公知になっている。
【特許文献１】特開平９−１１１７１９号公報
【特許文献２】特開平１０−３０６４０８号公報
【発明の開示】
【発明が解決しようとする課題】
【０００６】
上記の各補強方法は、何れも鋼製橋脚の座屈防止には効果的な技術ではあるが、それぞれ以下のような課題を有しているものである。
１．の方法では、構造物の重量が重くなるので、基礎構造物所謂フーチングなどの補強が必要となる場合がある。あるいは、そのための制約を受ける。
２．の方法では、炭素繊維が高価であるため、全体の事業費が高くなる。
３．の方法では、作業現場での溶接作業が必要であり、補強部材を鋼製橋脚の内側に溶接手段を用いて取り付ける場合には、狭い既設構造物の中での器具を持ち込んでの作業となり、作業効率が甚だ悪く、酸欠事故などの対策も必要となる。また、補強部材を鋼製橋脚の外面に取り付ける場合には、外観の低下を招き好ましいものではない。
【０００７】
そこで、本発明は、このような先行各技術が包含している各課題を解決することを目的とし、鋼製構造物に、鋼製構造物の弱点である座屈を防止することができ、あるいは遅延させることができる補強を施すことにより、鋼製構造物の靭性を著しく向上させることができ、鋼製橋脚や柱・梁等の耐震性の強化と耐荷力の増強を図ることができるようにしたものである。
【課題を解決するための手段】
【０００８】
該目的を達成するために講じた本発明にいう鋼製構造物の第１の構成を、実施例において使用した符号を用いて説明すると、所要間隔を隔てて植設固着させた多数のねじ付きスタッドジベル３を片面２ｂに備えた補強用鋼板２が、該補強用鋼板２の片面２ｂと鋼製構造物Ｃを構成する既設鋼板１の外面側１ａとの間に介在させた接着剤ａの接着力と、既設鋼板１に穿設形成したスタッド穴ｈを通じて既設鋼板１の内面側１ｂに突出させた各スタッドジベル３のねじ部３ａに螺嵌させたナット４の緊締力とで、既設鋼板１の外面側１ａに固着させてある構成としたものである。
【０００９】
また、同鋼製構造物の第２の構成は、鋼製構造物Ｃを構成する既設鋼板１の内面側１ｂに所要間隔を隔てて植設固着させた多数のねじ付きスタッドジベル３を、鋼板，ＦＲＰ板，炭素繊維板，コンクリート板等からなる内面補強板１２に穿設形成したスタッド穴ｈを通じてその内面側１２ｂに突出させた各スタッドジベル３のねじ部３ａに螺嵌させて締め付けたナット４の緊締力と、既設鋼板１の内面側１ｂと内面補強板１２の対向面１２ａとの間に介在させた接着剤ａの接着力とで、既設鋼板１の内面側１ｂに補強板１２を重層状に固着させてある構成としたものである。
【００１０】
また、前記第１構成の鋼製構造物の補強方法の構成は、鋼製構造物Ｃを構成する既設鋼板１の被補強部分１Ａの外面側１ａを覆う大きさに形成した外面補強用鋼板２の片面２ｂに、所要間隔を隔てて溶接手段、金属接着手段、ねじの立て込み手段等の周知手段によって多数のねじ付きスタッドジベル３を植設固着させてある補強用鋼板２を形成するとともに、前記既設鋼板１の被補強部分１Ａにおける、該スタッドジベル３の植設形成箇所と対応する箇所にスタッド穴ｈを穿設形成し、該補強用鋼板２のスタッドジベル植設面２ｂを既設鋼板１の外面側１ａと対向させて、各スタッドジベル３の先端部を各スタッド穴ｈを通して既設鋼板１の内面側１ｂに突出させ、突出した各スタッドジベル３のねじ部３ａにそれぞれナット４を螺嵌させて締め付け、他方、既設鋼板１の外面側１ａと外面補強用鋼板２のスタッドジベル植設面２ｂとの対向配置前に何れか一方の面１ａ、２ｂか両面に接着剤ａを塗布しておくか、これらの両面１ａ、２ｂを対向配置させた後に両面１ａ、２ｂ間に接着剤ａを注入して、該接着剤ａによる接着力と前記ナット４の緊締力とによって、既設鋼板１の外面側１ａに外面補強用鋼板２を重層状に固着させることによって補強するものである。
【００１１】
更に、前記第２構成の鋼製構造物の補強方法の構成は、鋼製構造物Ｃを構成する既設鋼板１の内面側１ｂに、所要間隔を隔てて溶接手段、金属接着手段、ねじの立て込み手段等の周知手段によって多数のねじ付きスタッドジベル３を植設固着させ、該既設鋼板１の内面側１ｂに形成してある縦リブ材１ｃ，１ｃの間、または縦リブ材１ｃとコーナー面との間に対応する幅に形成した鋼板，ＦＲＰ板，炭素繊維板，コンクリート板等からなる内面補強板１２に、前記各ねじ付きスタッドジベル３の植設形成箇所と対応する箇所にスタッド穴ｈを穿設形成し、該内面補強板１２を既設鋼板１の内面側１ｂに当て付けて各スタッド穴ｈを通じて内面補強板１２の内面側１２ｂに突出させた各スタッドジベル３のねじ部３ａにナット４を螺嵌させて締め付け、前記既設鋼板１の内面側１ｂへの内面補強板１２の当て付け前にこれら何れか一方の面１ｂ、１２ａか両面に接着剤ａを塗布しておくか、これらの両面１ｂ、１２ａを対向配置させた後に両面１ｂ、１２ａ間に接着剤ａを注入して、この接着剤ａによる接着力と前記ナット４の緊締力とによって、既設鋼板１の内面側１ｂに内面補強板１２を重層状に添え付け固着させることによって補強するものである。
【発明の効果】
【００１２】
以上の説明から既に明らかなように、本発明にいうところの請求項１及び３の発明は、多数のねじ付きスタッドジベルを片面に形成してある補強用鋼板を、鋼製構造物の既設鋼板に形成したスタッド穴を通じて既設鋼板の内面側に突出させた各スタッドジベルのねじ部へのナット締めによる緊締力と、既設鋼板と補強用鋼板との間に介在させた接着剤の接着力とによって補強用鋼板を固着させるようにしたものであるから、鋼製構造物を培成する既設鋼板の全外周面を二層構造として補強することができるので、鋼製構造物の鉛直荷重に対する耐力を大幅に増加させることができ、座屈耐力の大きい鋼製構造物を得ることができるという顕著な効果を期待することが出来るに至ったのである。
同時に、補強用鋼板は片方の面のみにスダッドジベルを立設形成してあるものであって、他の表側の面は平坦面のままとしてあるので、該既設鋼板への補強用鋼板の取り付け後は外表面の平坦な構造物が得られ、外面には防錆塗装や着色塗装を施すだけで美しい橋脚を得ることができる利点をも備えているものである。
【００１３】
また、本発明にいうところの請求項２及び４の発明は、多数のねじ付きスタッドを被補強鋼板の内面に植設し、この植設形成したスタッドジベルに対応したスタッド穴を形成した内面当て付け補強用の板材をスタッド穴を介して被補強鋼板の内面に当て付け、スタッド穴から突出させた各スタッドジベルのねじ部へのナット締めによる緊締力と、既設鋼板の内面と補強用板材との間に介在させた接着剤の接着力とによって補強用板材を固着させるようにしたものであるから、鋼製構造物を構成する既設鋼板の全内周面を二層構造として補強することができるので、鉛直荷重に対する耐力を大幅に増加させることができ、座屈耐力の大きい鋼製構造物を得ることができるという顕著な効果を期待することが出来るに至ったのである。また、この補強作業に当っては、狭い作業空間内にバーナー溶接器具等を持ち込む必要がなくスタッド溶接作業のみでよいので、酸欠事故等の危険性なく、効率のよい作業ができるという効果をも有している。また、この補強方法の場合には、被補強壁の外面に何等特別な作業を施す必要がなく、作業の実施に当って交通規制等を必要としないで行うことができる利点がある。
【発明を実施するための最良の形態】
【００１４】
本発明は、上記の構成としたものであるから、その実施に当たっては、スタッドジベルの形成に当ってスタット溶接のみならず、ジベル形成箇所を穿孔し、その穿孔にタップ立てを施し、スタッドの一端をねじ込んでスタッドジベルを形成することも可能であり、締め付け用ナットは、戻り止めナットを使用したり、二重ナットをすることによって振動による弛みの発生を防止しておくのがよい。
【実施例】
【００１５】
以下本発明の実施例について図面に基づいて説明する。図中、図１乃至図４は、本発明の第１実施例の施工方法を示す図であって、図１は施工途中の分解斜視図、図２はその平面図、図３は施工完了状態の斜視図、図４はその平面図である。また、図５は施工対象の橋脚の概形を示した部分縦断側面図である。
【００１６】
説明の便宜上先ず第１構成の鋼製構造物の補強方法から説明する。該実施例で説明する鋼製構造物Cは、その一例として図５に示した既設橋脚であって、この既設橋脚は、梁２２上に掛け渡された主桁２１上に形成された高架道２０を支える橋脚であって、この橋脚１は基礎杭２５上に形成されたフーチング２４内に埋設された支持フレーム２３上に立設されている。
【００１７】
先ず、該既設橋脚を構成する既設鋼板１の被補強部分１Ａの外面側１ａを覆うに必要な大きさに外面補強用鋼板２を形成し、工場内などにおいて、図１に示したように、その片面２ｂに、所要間隔を隔てて即ち、既設鋼板１の内部に形成されている補強用縦リブ材１ｃの箇所を避けて、ねじ付きスタッドやボルト、ねじ付き丸棒等の鋼板固定用棒材の基端部を溶接手段や、金属接着手段、ねじの立て込み手段等の周知手段によって多数本のねじ付きスタッドジベル３を植設固着させた補強用鋼板２を形成する。
【００１８】
これを補強しようとする既設橋脚の設置箇所に運搬し、同既設橋脚の被補強部分１Ａの既設鋼板１に対して、該スタッドジベル３の植設形成箇所と対応するそれぞれの箇所にスタッド穴ｈを穿設形成し、この穿孔作業に先立ってかその後に、同被補強部分１Ａの外表面をケレンやサンドブラストによって、塗料や油分等の付着物を除去し清掃しておく。
【００１９】
その後、既設鋼板１の外面側１ａと外面補強用鋼板２のスタッドジベル植設面２ｂとの何れか一方の面１ａまたは２ｂか両方の面１ａ、２ｂの全面にエポキシ樹脂等の接着剤ａを塗布しておく。しかる後に、図１及び図２に矢印で示したように、前記補強用鋼板２のスタッドジベル植設面２ｂを既設鋼板１の外面側１ａと対向させて、各スタッドジベル３の先端部を各スタッド穴ｈを通して既設鋼板１の内面側１ｂに突出させ、突出した各スタッドジベル３のねじ部３ａにそれぞれナット４を螺嵌させて締め付ける。このようにして、接着剤ａによる接着力とナット４の緊締力とによって、既設鋼板１の外面側１ａに外面補強用鋼板２を二重重ね状に固着させて補強する。また、必要に応じて外面補強用鋼板２どうしの接当する隅角部は溶接して一体化させておくのが好ましい。
【００２０】
この補強を更に強化しようとする場合には、炭素繊維などの連続シートをその外周面全体に耐水性と耐候性に優れた接着剤を用いて巻き立て、補強用鋼板２の剥離を防止する。
また、補強用鋼板２外周面や、既設鋼板１の塗装を取り除いた部分に塗装を施しておく。更に、連続シートを巻き立てた場合は耐火性のある被覆材で外表面を防護しておく。
【００２１】
他の補強手段としては、前記の既設鋼板１の外面側１ａと外面補強用鋼板２のスタッドジベル植設面２ｂとの面への接着剤ａの塗布作業をしないで、これらの両面１ａ、２ｂを直接対向配置させて既設鋼板１の内面側からナット締め作業を行った後に、両面１ａ、２ｂ間にエポキシ樹脂製の接着剤ａを注入して接着させる作業手段を講じてもよい。この場合には両面１ａ、２ｂ間に、注入接着剤ａの回り込みに必要なスペーサーを予め介在させておくのがよい。また、このようなスペーサーを介在させずに、注入接着剤ａの回り込みに必要なスペースに合わせた厚さの頭部を備えたボルトを、ねじ付きスタッドに代えて補強用鋼板２に溶接しておくことにより、ボルトの頭部をスペーサーとして利用することもできる。この接着剤ａの注入は外面補強用鋼板２の上端部から行うことが出来るが、他の手段として、予め補強用鋼板２の適宜箇所に接着剤注入孔を空けておき、この孔を利用して接着剤を注入した後に、この孔を塞いでおけばよい。接着剤ａの注入前には、必要箇所をシールしておくのがよい。言うまでもなく、このようにした補強の場合も、必要であれば前記のように、その外周面に炭素繊維などの連続シートを巻いて二重補強をしておくことができる。
【００２２】
このようにして、図３及び図４に示したように、該接着剤ａによる接着力と、ねじ付きスタッドジベル３へのナット４締めによる緊締力とによって、既設鋼板１の外面側１ａに外面補強用鋼板２を二重重ね状に強固に固着させて補強した強化橋脚即ち強化鋼製構造物を得ることができるのである。
【００２３】
図６乃至図９は、本発明の第２実施例を示した図である。この場合は、工場等において補強の必要な既設橋脚を構成する既設鋼板１の内部の縦リブ材１ｃ，１ｃ間の幅及び縦リブ材１ｃとコーナー面間の幅に対応する幅に鋼板，ＦＲＰ板，炭素繊維板，コンクリート板等からなる内面補強板１２を形成する。ここではＦＲＰ板を使用して内面補強板１２を形成し、図６のように、この内面補強板１２に所要間隔を隔ててスタッドジベル３を通す多数のスタッド穴ｈを穿設形成する。これを補強しようとする既設橋脚の設置箇所に運搬する。
【００２４】
既設橋脚の設置箇所において、既設鋼板１の内面側１ｂに塗布されてある錆止め等の塗装を剥がした後、同内面側１ｂに、前記内面補強板１２に形成した多数のスタッド穴ｈと対応する箇所に、ねじ付きスタッドをスタッド溶接してスタッドジベル３を形成する。しかる後、このスタッド溶接した面にエポキシ樹脂等の接着剤ａを塗布し、またはＦＲＰ板の内面補強板１２の片面に接着剤ａを塗布し、スタッドジベル３にスタッド穴ｈを通して内面補強板１２を既設鋼板１の内面側１ｂに当て付け、各スタッド穴ｈを通じて内面補強板１２の手前側、即ち既設橋脚における内面側１２ｂに突出した各スタッドジベル３のねじ部３ａにワッシャー６を介してナット４を螺嵌させて締め付け、内面補強板１２と既設鋼板１とが一体となるように強固に取り付ける。
【００２５】
このようにして、図８及び図９に示したように、接着剤ａによる接着力と、ねじ付きスタッドジベル３へのナット４締めによる緊締力とによって、既設鋼板１の内面側１ｂに内面補強板１２を二重重ね状に強固に固着させて補強した強化橋脚即ち強化鋼製構造物を得ることができるのである。
【００２６】
この内面補強板１２の既設鋼板１の内面側１ｂへの取り付け補強にあっても、前記第１実施例で説明したように、内面補強板１２を既設鋼板１の内面側１ｂにボルト４で締め付け固定した後に、内面補強板１２と既設鋼板１との間に接着剤ａを注入するという手段を講じてもよいことは言うまでもない。また、ＦＲＰ板以外にも、ねじ付きスタッドジべルの頭部を埋め込んだ炭素繊維板や、アンカーボルトを埋め込んだプレストレストコンクリート板なども内面補強板１２として使用することができる。
【００２７】
以上本発明の代表的と思われる実施例について説明したが、本発明は必ずしもこれらの実施例に示した方法と物のみに限定されるものではなく、例えば、ねじ付きスタッドジベルやねじ付き鉄筋、ボルト等の本数や太さ、配置は計算によって必要数を算定することができるものであり、これらのスタッドや鉄筋、ボルト等にあっても、スタッドばかり、鉄筋ばかりというように同一品のみの統一使用に限られるものではなく、スタッドと鉄筋とを混用する等任意に実施できるものであって、本発明にいうところの構成要件を備え、かつ、本発明にいう目的を達成し、効果を有する範囲内において適宜に改変して実施することができるものである。
【産業上の利用可能性】
【００２８】
本発明いうところの鋼製構造物とその補強方法は、施工が容易確実にでき、経済性にも優れているため、今後ますます世上に受け入れられ、全国的に使用される可能性が大なるものである。
【図面の簡単な説明】
【００２９】
【図１】第１実施例を示した施工直前状態の説明用斜視図。
【図２】図１の状態を示した要部の横断平面図。
【図３】第１実施例を示した施工完了状態の説明用斜視図。
【図４】図３の状態を示した要部の横断平面図。
【図５】高架道の橋脚を示した側面図。
【図６】第２実施例を示した施工直前状態の説明用斜視図。
【図７】図６の状態を示した要部の横断平面図。
【図８】第２実施例を示した施工完了状態の説明用斜視図。
【図９】図８の状態を示した要部の横断平面図。
【図１０】公知技術を示した説明用平面図。
【図１１】他の公知技術を示した説明用平面図。
【符号の説明】
【００３０】
１  既設鋼板
１ａ  外面側
１ｂ  内面側
１ｃ  縦リブ材
１Ａ  被補強部分
２  補強用鋼板
２ｂ  片面（スタットジベル植設面）
３  スタッドジベル
３ａ  ねじ部
４  ナット
５  縦リブ材
６  ワッシャー
１２  内面補強板
１２ａ  対向側
１２ｂ  内面側
Ｃ  鋼製構造物
ａ  接着面
ｈ  スタッド穴
【図１】
2006328866.tif 000003
【図２】
2006328866.tif 000004
【図３】
2006328866.tif 000005
【図４】
2006328866.tif 000006
【図５】
2006328866.tif 000007
【図６】
2006328866.tif 000008
【図７】
2006328866.tif 000009
【図８】
2006328866.tif 000010
【図９】
2006328866.tif 000011
【図１０】
2006328866.tif 000012
【図１１】
2006328866.tif 000013